(57)【要約】      （修正有）【課題】筆の長さ、太さに関係なく、それぞれの適切場所に何ら不都合なく挿入、取り出しができるという利便性と、又、携帯用としてもコンパクトに收納、持ち運びができるという筆立を提供すること。【解決手段】上面側に受け部１１を備えた礎台１と、上面側が開放された逆パラソル型の筆立本体２とから成り、前記受け部１１に筆立本体２の基部を着脱自在に嵌入し、受け部１１に対して筆立本体２の基部を回転可能にした。又、紐体につけた調節具７により、紐体の引き絞り、繰り出し状態を自由に維持できる筆立とした。【選択図】図１
2005047284.tif 000002
【特許請求の範囲】
【請求項１】
上面側に受け部を備えた礎台と、上面側が開放された逆パラソル型の筆立本体とから成り、前記受け部に筆立本体の基部を着脱自在に嵌入し、受け部に対して筆立本体の基部を回転可能にしてなる筆立。
【請求項２】
逆パラソル型をした筆立本体が、その側壁において、交互に山襞、谷襞を設けたものであり、これら山襞、谷襞を高低、深浅に構成したものである、請求項１記載の筆立。
【請求項３】
逆パラソル型をした筆立本体の上下方向中程において、各山襞を貫通する透孔を水平方向に並べて穿設し、これら透孔に紐体を挿通して、紐体の引き絞り、繰り出しによって筆立本体の開閉を図ることとした、請求項２記載の筆立。
【発明の詳細な説明】
【技術分野】
【０００１】  本発明は、一般事務用、絵画などの筆立に関するものである。［背景技術］【０００２】  従来の筆立は、筆を立てるだけの単なる有底筒状容器にすぎなかった。【０００３】  従来の筆立は、筆を殆んど直立状に複数本かためて收納するだけの容器であった。【０００４】  また、従来の筆立は、殆んど移動させることなく、机上などで收納させるだけの容器であった。【０００５】  そこで、特許文献１では、数個の細長角材の上面に直立孔数個を穿設し、一端をＶ字状、Ｎ字状、Ｗ字状になるように連結した折り畳み筆立が提案されている。この筆立では、筆の抜き差しが容易で、收納時に場所を取らず、又資源面でも環境に利点があるとされている。【０００６】  また、例えば、特許文献２では、円筒状の上面側に上下に多数の貫通孔を穿設して筆を直立状態に差し入れ、取り出すことができる、回転式筆立が提案されている。この筆立では、筆立を回転させることにより、筆を取り出し易い利点があるとされている。【０００７】  特許文献１  特開２００３−２７６３９５号公報【０００８】  特許文献２  特開２００３−２７６３９６号公報［発明の開示］［発明が解決しようとする課題］【０００９】  しかしながら、特許文献１に開示された筆立では、作画中に筆を抜き差しするとき、筆先の絵具がお互いに干渉され易く、又、筆立を拡げた角度如何によっては倒れ易いという不都合があった。【００１０】  また、特許文献２に開示された筆立では、それぞれの筆を殆んど直立状態に立てるので筆の抜き差しの時に不便で、又、コンパクトに收納できないため、持ち運びに不都合があった。［発明を解決するための手段］【００１１】  そこで、上記課題を解決するために、第１の発明にあっては、上面側に受け部１１を備えた礎台１と、上面側を開放した逆パラソル型筆立本体２とから成り、前記受け部１１に筆立本体２の基部２’を着脱自在に嵌入し、受け部１１に対して筆立本体２の基部２’を回転可能にしてなる筆立とした。【００１２】  また、第２の発明にあっては、前記筆立において、同じく逆パラソル型筆立本体２が、その側壁において、交互に山襞、谷襞を設けたものであり、これら山襞、谷襞を高低、深浅に構成したものである。【００１３】  さらに、第３の発明では、逆パラソル型をした筆立本体２の上下方向中程において、各山襞を貫通する透孔を水平方向に並べて穿設し、これら透孔に紐体を挿通して、紐体の引き絞り、繰り出しによって筆立本体２の開閉を図ることとした。［発明の効果］【００１４】  本発明は、以上のように構成したので、逆パラソル型の筆立本体２の山襞、谷襞の高低、深浅に合わせて、それぞれに合った太さ、長さの異なる筆を挿入することができる。【００１５】  また、礎台１の上面側の受け部１１に筆立本体２を着脱自在に、回転可能に嵌入したので、作画中向う側にある筆が必要なときも筆立本体２を回転させることにより、即座に取り出して便利に使用することができる。【００１６】  さらに、携帯用として、礎台１と、筆立本体２とを別々にし、筆立本体２の紐体６を引き絞りコンパクトに收納して、持ち運びできるという効果を有する。［発明を実施するための最良の形態］  以下、本発明の実施例を図面に従って説明する。【０���１７】  図１の全体図は、前面から見た、本発明に係る筆立の一例を示した斜視図であって、上面側に受け部１１を備えた礎台１と、上面側を開放した逆パラソル型の筆立本体２とから成り、前記受け部１１に筆立本体２の基部を着脱自在に嵌入し、受け部１１に対して本体基部を回転可能にしてなる筆立である。図示されるように、礎台１の形は安定性さえあれば形にこだわらなくてよい。本例の四角板のほか、丸板など様々な形状を採用しうる。又、受け部１１は、礎台１の受け部１１の所定位置に、ネジ込みでも、礎台１側と受け部１１側に対応するよう設けた嵌合部によって、スライド又は回転させながら止める方式などであっても、固定できればよい。又、筆立本体２には、長さ、太さの異なる筆やペンなどが挿入されるが、中央の空きスペースに糊、モノサシなど挿入してもよい。【００１８】  図２は、受け部１１を固定した礎台１と、筆立本体２とを分解した斜視図である。受け部１１は有底筒状をしており、該受け部に挿入される基部２’は、受け部より小径な筒状をしているものである。筆立本体２は、山襞部３と谷襞部４が交互に形成されており、山襞部３の３１は長く太い筆を、３２は短かく細い筆を挿入できるように、懐深さや高さを変えている。【００１９】  図３は、分解した図２を真上から見た本体２と、受け部１１を固定した礎台１の真上から見た正面図である。受け部１１内には、計９個の小球８を入れて、基部２′の円滑な回転を図っている。【００２０】  図４は、分解した筆立のそれぞれの前面の断面図である。逆パラソル型の筆立本体２の上下方向中程において、各山襞を貫通する透孔を水平方向に並べて穿設し、これら透孔に紐体を挿通して、紐体の引き絞り、繰り出しによって筆立本体２の開閉を図ることとしている。引き絞り、繰り出し状態を維持できるように、本例では調節具７を設けている。受け部１１に嵌入する筆立本体２の回転用材としては、ボールベアリング、又、受け部１１の内底中心部に突起軸を設着して回転可能にするなど、前記小球数個による回転以外にもいろいろ例示される。又、筆立の礎台１，受け部１１，及び筆立本体２の材料としては、木板、プラスチック、厚紙、厚布などがある。又、紐体材料としては、打紐やゴム紐などが例示される。【００２１】  逆パラソル型の、以上のように構成された筆立を使用する際は、携帯の場合、礎台１の上面側の受け部１１に筆立本体２の基部２′を嵌入して供する。【００２２】  筆立本体２の紐体６の繰り出し加減により、筆立本体２の上面側を適当に開いて、筆をそれぞれの長さ、太さに合う高低、深浅の山襞の各場所に挿入する。【００２３】  作画中、向う側にある筆を必要とするときには、筆立本体２を必要とする筆の場所まで手前にまわしてきて取り出し、直ちに使用できる。【００２４】  使用後、收納時には、礎台１と筆立２とを外して別々にし、紐体を引き絞ってコンパクトに折りたたみ、携帯する。
【図面の簡単な説明】
【００２５】
【図１】本発明の第１実施例の斜視図である。
【図２】本発明の第１実施例［図１］を礎台１と、筆立本体２とに分解した斜視図である。
【図３】本発明の第１実施例の真上からの正面図である。
【図４】本発明の第１実施例の前面の断面図である。
【符号の説明】
【００２６】１      礎台２      筆立本体２′    筆立本体の基部３      筆立本体の山襞部４      筆立本体の谷襞部５      透孔６      紐体７      調節具８      小球１１    受け部３１    丈長、巾深の山襞３２    丈短、巾浅の山襞
【図１】
2005047284.tif 000003
【図２】
2005047284.tif 000004
【図３】
2005047284.tif 000005
【図４】
2005047284.tif 000006